(57)【要約】【課題】電子情報ボードの使用時にユーザが効率的に議論を整理できるように、書き込みの並び替えを支援することができる画像処理装置、プログラムおよび画像処理システムを提供する。【解決手段】本発明は、切り替えて表示される複数の表示画像に描画されたストロークから、該ストロークに付与された属性に従って複数のストロークを選択する選択部と、選択された前記複数のストロークを、予め設定された配置基準に従って配置した画像を生成する生成部と、を備える。また、前記生成部は、前記画像を表示させる表示領域を複数の分割領域に分割し、前記選択された複数のストロークそれぞれが前記分割領域に収まるように縮小された前記画像を生成する。【選択図】図３
2014044706.tif 000002
【特許請求の範囲】
【請求項１】
切り替えて表示される複数の表示画像に描画されたストロークから、該ストロークに付与された属性に従って複数のストロークを選択する選択部と、
選択された前記複数のストロークを、予め設定された配置基準に従って配置した画像を生成する生成部と、
を備えた画像処理装置。
【請求項２】
前記生成部は、前記画像を表示させる表示領域を複数の分割領域に分割し、前記選択された複数のストロークそれぞれが前記分割領域に収まるように縮小された前記画像を生成する請求項１に記載の画像処理装置。
【請求項３】
前記生成部は、前記表示領域を前記選択された複数のストロークが描画された前記表示画像の数の前記分割領域に分割し、前記選択された複数のストロークが当該複数のストロークが描画された前記表示画像毎に前記分割領域に収まるように縮小された前記画像を生成する請求項２に記載の画像処理装置。
【請求項４】
前記生成部は、前記複数の表示画像の数が予め設定された規定数よりも多い場合、前記表示領域を前記規定数の前記分割領域に分割し、前記選択された複数のストロークが当該複数のストロークが描画された前記表示画像毎に前記分割領域に収まるように縮小された複数の前記画像を生成する請求項３に記載の画像処理装置。
【請求項５】
前記生成部は、前記表示領域のサイズに応じて前記規定数を設定する請求項４に記載の画像処理装置。
【請求項６】
前記配置基準は、前記ストロークの描画日時に従って前記選択された複数のストロークを配置することを表す請求項１から５のいずれか一に記載の画像処理装置。
【請求項７】
前記ストローク毎に、当該ストロークに付与された属性および当該属性の付与日時を記憶する記憶部と、を備え、
前記選択部は、前記ストロークから、前記属性が付与された前記ストロークを選択し、
前記配置基準は、前記記憶部に記憶された前記付与日時に従って前記選択された複数のストロークを配置することを表す請求項１から５のいずれか一に記載の画像処理装置。
【請求項８】
前記配置基準は、前記選択された複数のストロークが描画された前記表示画像が切り替えて表示される際の表示順に従って前記選択された複数のストロークを配置することを表す請求項１から５のいずれか一に記載の画像処理装置。
【請求項９】
前記画像に配置された前記選択された複数のストロークと当該複数のストロークが描画された前記表示画像を識別する識別情報とを対応付けて記憶する第２の記憶部と、
前記画像に配置された前記選択された複数のストロークから選択されたストロークと対応付けて記憶された前記識別情報により識別される前記表示画像を表示部に表示させる表示制御部と、
を備えた請求項１から８のいずれか一に記載の画像処理装置。
【請求項１０】
前記生成部は、前記属性の種類毎に前記画像を生成する請求項７に記載の画像処理装置。
【請求項１１】
前記生成部は、一の前記表示画像に複数のストロークが描画されている場合、前記一つの表示画像に描画された複数のストロークが複数の前記分割領域に収まるよう縮小された前記画像を生成する請求項３または４に記載の画像処理装置。
【請求項１２】
前記生成部は、前記画像の生成を指示するためのボタンを前記表示領域に表示する請求項１から１１のいずれか一に記載の画像処理装置。
【請求項１３】
コンピュータを、
切り替えて表示される複数の表示画像に描画された複数のストロークから、該ストロークに付与された属性に従って複数のストロークを選択する選択部と、
選択された前記複数のストロークを、予め設定された配置基準に従って配置した画像を生成する生成部と、
として機能させるためのプログラム。
【請求項１４】
表示画像を送信する情報処理装置と、前記情報処理装置から送信された複数の前記表示画像を切り替えて表示する表示部と、前記表示部に対する物体の接触位置または接近位置を検出する検出部と、前記接触位置または前記接近位置に基づいて前記各表示画像にストロークを描画する画像処理装置と、を有する画像処理システムであって、
前記画像処理装置は、
前記複数の表示画像に描画された複数のストロークから、該ストロークに付与された属性に従って複数のストロークを選択する選択部と、
選択された前記複数のストロークを、予め設定された配置基準に従って配置した画像を生成する生成部と、
を備えた画像処理システム。
【発明の詳細な説明】
【技術分野】
【０００１】
本発明は、画像処理装置、プログラムおよび画像処理システムに関する。
【背景技術】
【０００２】
液晶テレビジョンやプラズマディスプレイなどのフラットパネルやプロジェクタを用いた４０〜６０インチ程度のサイズの大型のスクリーン等の表示部にタッチパネルを搭載した、いわゆる電子情報ボードが市場に出ている。電子情報ボードは、パーソナルコンピュータと接続することによって、接続されたパーソナルコンピュータの画面を大きく表示することができるので、企業や行政機関等の会議におけるプレゼンテーションや教育機関等で用いられている。また、電子情報ボードは、搭載するタッチパネルを用いて、パーソナルコンピュータのマウスを操作する代わりに表示部にタッチすることにより、表示部に画面を表示しているパーソナルコンピュータの操作を可能とするパソコン操作機能を提供する。
【０００３】
さらに、電子情報ボードに接続されるパーソナルコンピュータ上で実行させるアプリケーションソフトウェアが電子情報ボードとともに提供されている。このアプリケーションソフトウェアは、黒板の役割を果たす画面を電子情報ボードに表示するとともに画面上に手書き文字をタッチパネルを利用して描いたり、当該アプリケーションソフトウェアを実行するパーソナルコンピュータの画面を取り込んでその上に手書き（ストローク）を重畳して描いたりすることを可能にする手書き機能を提供する。このような手書き機能を利用することにより、会議等における説明のための表示資料を電子情報ボードに表示しながら、表示部上に指摘事項等を直接書き込んだり、必要に応じて書き込みを含む画面の内容を記憶部に記憶させたりすることができるので、会議等の終了後に電子情報ボードに表示した画面の内容を振り返ったり、記憶部に記憶された画面の内容を再利用したりすることで効率的に会議等の結論等をまとめることが期待できる。
【０００４】
手書き機能を利用した会議等においては、会議等の進行を妨げずに電子情報ボードを操作して必要な情報の表示および入力が可能である。しかしながら、電子情報ボードにおいては、可読性を維持しつつ一画面に表示できる表示画像（例えば、会議等における説明のための表示資料やパーソナルコンピュータの画面など）の数が限定されるため、表示画像の数が増えてくると、表示画像から会議等における議論の流れが見渡しづらくなる。また、表示画像への書き込みの数が増えてくると、どの書き込みが重要箇所であるかが分かりづらくなる。そこで、複数の表示画像に書き込まれた重要箇所をまとめ用の画像にペーストとすることにより、複数の表示画像への書き込みの抽出が行われている。
【発明の概要】
【発明が解決しようとする課題】
【０００５】
しかしながら、会議等の議論を行いながら複数の表示画像への書き込みを整理しようとすると、議論を行っている表示画像とまとめ用の画像とを行ったり来たりしながら書き込みのコピーとペーストを行う必要があり、議論の進行が妨げられる、という課題がある。また、議論の流れに沿うように書き込みを並び替える手間が発生する。
【０００６】
本発明は、上記に鑑みてなされたものであって、電子情報ボードの使用時にユーザが効率的に議論を整理できるように、書き込みの並び替えを支援することができる画像処理装置、プログラムおよび画像処理システムを提供することを目的とする。
【課題を解決するための手段】
【０００７】
上述した課題を解決し、目的を達成するために、本発明は、切り替えて表示される複数の表示画像に描画されたストロークから、該ストロークに付与された属性に従って複数のストロークを選択する選択部と、選択された前記複数のストロークを、予め設定された配置基準に従って配置した画像を生成する生成部と、を備える。
【０００８】
また、本発明は、コンピュータを、切り替えて表示される複数の表示画像に描画された複数のストロークから、該ストロークに付与された属性に従って複数のストロークを選択する選択部と、選択された前記複数のストロークを、予め設定された配置基準に従って配置した画像を生成する生成部と、として機能させる。
【０００９】
また、本発明は、表示画像を送信する情報処理装置と、前記情報処理装置から送信された複数の前記表示画像を切り替えて表示する表示部と、前記表示部に対する物体の接触位置または接近位置を検出する検出部と、前記接触位置または前記接近位置に基づいて前記各表示画像にストロークを描画する画像処理装置と、を有する画像処理システムであって、前記画像処理装置は、前記複数の表示画像に描画された複数のストロークから、該ストロークに付与された属性に従って複数のストロークを選択する選択部と、選択された前記複数のストロークを、予め設定された配置基準に従って配置した画像を生成する生成部と、を備える。
【発明の効果】
【００１０】
本発明によれば、電子情報ボードの使用時にユーザが効率的に議論を整理できるように書き込みの並べ替えを支援することができる、という効果を奏する。
【図面の簡単な説明】
【００１１】
【図１】図１は、本実施の形態にかかる画像処理システムの構成を示すブロック図である。
【図２】図２は、本実施の形態にかかる画像処理システム同士を、サーバを介して接続した例を示す図である。
【図３】図３は、本実施の形態にかかる画像処理装置のハードウェア構成および機能構成を示すブロック図である。
【図４】図４は、本実施の形態にかかる画像処理装置において表示画像に描画されたストロークを記憶するデータベースの構造を示す図である。
【図５】図５は、本実施の形態にかかる画像処理装置において表示画像に描画されたストロークに属性を付与する処理の流れを示すフローチャートである。
【図６】図６は、本実施の形態にかかる画像処理装置においてストローク集合ページを生成する処理の流れを示すフローチャートである。
【図７】図７は、本実施の形態にかかる画像処理装置においてストローク集合ページを生成する前のストロークデータベースの構造を示す図である。
【図８】図８は、本実施の形態にかかる画像処理装置においてストローク集合ページを生成した後のストロークデータベースの構造を示す図である。
【図９】図９は、本実施の形態にかかる画像処理装置におけるストローク集合ページの生成を説明するための図である。
【発明を実施するための形態】
【００１２】
以下に添付図面を参照して、画像処理装置、プログラムおよび画像処理システムの実施の形態を詳細に説明する。
【００１３】
図１は、本実施の形態にかかる画像処理システムの構成を示すブロック図である。本実施の形態にかかる画像処理システム１は、画像処理装置１００と、ユーザＰＣ（Personal  Computer）１３０と、を有している。画像処理装置１００とユーザＰＣ１３０とは、それぞれケーブル１３１，１３２によって接続されている。
【００１４】
画像処理装置１００は、ユーザＰＣ１３０に表示された表示画像を表示部１０１に表示可能であり、かつユーザの操作に応じて当該表示画像に描画された手書き文字などのストロークを表示部１０１に表示可能な装置である。ここで、ストロークとは、ユーザの操作に応じて検出された座標位置に基づいて生成される描画画像である。ストロークは、手書き文字に限られるものではなく、図形や線などの任意の画像を含む。ストロークは、一筆で描かれたストロークの集合（複数のストローク）からなるストローク群であっても良いし、一筆で描かれたストロークであっても良い。また、画像処理装置１００は、表示部１０１に対する接触によってイベントを発生させ、このイベントをマウスやキーボード等の入力装置によるイベントとしてユーザＰＣ１３０に送信する。ここで、表示部１０１は、ＬＣＤ（Liquid  Crystal  Display）等を含むディスプレイ装置であっても良いし、スクリーンに表示画像を投影させるプロジェクタであっても良い。
【００１５】
ユーザＰＣ１３０は、画像処理装置１００に表示すべき表示画像を送信する情報処理装置である。ユーザＰＣ１３０は、画像信号を出力するインタフェース（図示しない）を備えており、当該インタフェースによって画像処理装置１００に表示すべき表示画像の画像信号を所定のレート（例えば、毎秒３０フレーム）で画像処理装置１００に送信する。
【００１６】
本実施の形態では、ユーザＰＣ１３０は、画像信号を出力するインタフェース（図示しない）としてＶＧＡ（Video  Graphics  Array）出力端子（図示しない）を備え、ＶＧＡケーブル等のケーブル１３１を介してＶＧＡ信号（画像信号）を画像処理装置１００に送信する。本実施の形態では、ユーザＰＣ１３０は、ＶＧＡ出力端子を利用してＶＧＡ信号を送信しているが、これに限定するものではなく、例えば、各種無線通信プロトコルに準拠した無線通信により、画像信号を画像処理装置１００に送信しても良い。
【００１７】
また、ユーザＰＣ１３０は、画像処理装置１００の表示部１０１に表示した表示画像を取得することができる。本実施の形態では、ユーザＰＣ１３０は、ＵＳＢ（Universal  Serial  Bus）ポート（図示しない）を備え、ＵＳＢケーブル等のケーブル１３２を介して接続された画像処理装置１００に記憶されている表示画像を、Ｕｓｅ  Ｍａｓｓ  Ｓｔｏｒａｇｅ  Ｃｌａｓｓ等の汎用ドライバを使用して取得する。
【００１８】
本実施の形態では、ユーザＰＣ１３０としてノート型ＰＣを採用するが、デスクトップ型ＰＣ、タブレット型ＰＣ、ＰＤＡ（Personal  Digital  Assistant）、デジタルビデオカメラ、デジタルカメラ、スマートフォン、および、携帯電話等の表示画像を送信可能な情報処理装置をユーザＰＣ１３０として採用しても良い。また、本実施の形態では、画像処理システム１は、２つのユーザＰＣ１３０を備えているが、１つまたは３つ以上のユーザＰＣ１３０を備えていても良い。
【００１９】
図２は、本実施の形態にかかる画像処理システム同士を、サーバを介して接続した例を示す図である。本実施の形態にかかる画像処理システム１は、インターネット等のネットワーク２４０を介してサーバ１５０に接続され、サーバ１５０を介して画像処理システム１間において画像処理装置１００（またはユーザＰＣ１３０）に表示可能な表示画像を共有することができる。
【００２０】
図３は、本実施の形態にかかる画像処理装置のハードウェア構成および機能構成を示すブロック図である。本実施の形態にかかる画像処理装置１００は、画像入力インタフェース１１０および画像入力インタフェース１１１を備え、これらのインタフェースを介してユーザＰＣ１３０と接続されている。
【００２１】
画像入力インタフェース１１０は、ＤＶＩ（Digital  Visual  Interface）端子を有するＤＶＩコネクタによって構成され、ユーザＰＣ１３０から送信された表示画像の画像信号を受信するインタフェースである。画像入力インタフェース１１０は、ユーザＰＣ１３０からＶＧＡケーブル等のケーブル１３１を介してＶＧＡ信号を受信し、画像取得部１０５にＶＧＡ信号（画像信号）を供給する。
【００２２】
また、画像入力インタフェース１１０は、ＶＧＡコネクタ、ＨＤＭＩ（登録商標）（High  Definition  Multimedia  Interface）コネクタ、Ｄｉｓｐｌａｙｐｏｒｔコネクタ等によって構成することができる。さらに、画像入力インタフェース１１０は、Ｂｌｕｅｔｏｏｔｈ（登録商標）やＷｉＦｉ等の無線通信プロトコルに準拠した無線通信により、ユーザＰＣ１３０から画像信号を受信しても良い。
【００２３】
画像入力インタフェース１１１は、ＵＳＢソケット等によって構成され、画像処理装置１００の表示部１０１に表示された表示画像をユーザＰＣ１３０などの外部装置に出力する物理インタフェースである。
【００２４】
また、本実施の形態にかかる画像処理装置１００は、表示部１０１、プロセッサ１０２、ＲＯＭ（Read  Only  Memory）１０３、ＲＡＭ（Random  Access  Memory）１０４、画像取得部１０５、座標検出部１０６、接触検知部１０７およびスナップショット画像記憶部１０８を備えている。
【００２５】
プロセッサ１０２は、ＣＰＵ（Central  Processing  Unit）やＭＰＵ（Micro  Processing  Unit）等によって構成され、Ｗｉｎｄｏｗｓ（登録商標）シリーズ、ＵＮＩＸ（登録商標）、ＬＩＮＵＸ（登録商標）、ＴＲＯＮ、ＩＴＲＯＮ、μＩＴＲＯＮ、Ｃｈｒｏｍｅ、ＡｎｄｒｏｉｄなどのＯＳを動作させ、これらのＯＳの管理の下でアセンブラ、Ｃ、Ｃ＋＋、Ｊａｖａ（登録商標）、ＪａｖａＳｃｒｉｐｔ（登録商標）、ＰＥＲＬ、ＲＵＢＹ、ＰＹＴＨＯＮなどのプログラム言語で記述されたプログラムを実行する。ＲＯＭ１０３は、ＢＩＯＳやＥＦＩ等のブートプログラムなどを記憶する不揮発性メモリである。
【００２６】
ＲＡＭ１０４は、ＤＲＡＭ（Dynamic  Random  Access  Memory）やＳＲＡＭ（Static  Random  Access  Memory）等によって構成され、プロセッサ１０２がプログラムを実行するための実行空間（記憶領域）を提供する。プロセッサ１０２は、ソフトウェアプログラムや種々のデータなどを持続的に保持するＨＤＤ（Hard  Disk  Drive）等の記憶装置（図示しない）から、プログラムを読み出し、ＲＡＭ１０４に展開して実行する。プロセッサ１０２により実行されるプログラムは、イベント処理部１２０、アプリ画像生成部１２１、レイアウト管理部１２２、描画生成部１２３、合成部１２４、表示制御部１２５、スナップショット生成部１２６、ページ生成部１２７、属性付与部１２８およびリポジトリ管理部１２９を含む構成となっており、プロセッサ１０２が記憶装置（図示しない）からプログラムを読み出して実行することにより上記各部がＲＡＭ１０４上にロードされ、イベント処理部１２０、アプリ画像生成部１２１、レイアウト管理部１２２、描画生成部１２３、合成部１２４、表示制御部１２５、スナップショット生成部１２６、ページ生成部１２７、属性付与部１２８およびリポジトリ管理部１２９がＲＡＭ１０４上に生成されるようになっている。
【００２７】
なお、本実施の形態の画像処理装置１００で実行されるプログラムは、ＲＯＭ等に予め組み込まれて提供されても良い。また、本実施の形態の画像処理装置１００で実行されるプログラムは、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成しても良い。
【００２８】
さらに、本実施の形態の画像処理装置１００で実行されるプログラムを、インターネット等のネットワークに接続されたコンピュータ上に格納し、ネットワーク経由でダウンロードさせることにより提供するように構成しても良い。また、本実施の形態の画像処理装置１００で実行されるプログラムをインターネット等のネットワーク経由で提供または配布するように構成しても良い。
【００２９】
画像取得部１０５は、画像入力インタフェース１１０を介して、ユーザＰＣ１３０から送信された画像信号を取得する。画像取得部１０５は、画像入力インタフェース１１０を介して画像信号を受信すると、当該受信した画像信号を解析して、当該画像信号に従って形成される表示画像である画像フレームの解像度や当該画像フレームの更新頻度などの画像情報を取得してアプリ画像生成部１２１に送信する。また、画像取得部１０５は、当該受信した画像信号に基づいて表示画像である画像フレームをそれぞれ形成し、当該画像フレームを一時的に保存可能なビデオＲＡＭ１０５ａにそれぞれ上書き保存する。
【００３０】
アプリ画像生成部１２１は、表示部１０１に表示すべき種々の表示ウィンドウを生成する。本実施の形態では、アプリ画像生成部１２１は、ユーザＰＣ１３０から送信された表示画像である画像フレームを表示する表示ウィンドウ、ユーザの操作に応じて複数の表示画像に描画されたストロークを配置した画像（以下、ストローク集合ページとする）を表示する表示ウィンドウ、画像処理装置１００の各種設定を行うためのボタンやメニュー等を表示する表示ウィンドウ、ファイルビューアやＷｅｂブラウザ等の表示ウィンドウ等を生成する。アプリ画像生成部１２１は、生成した表示ウィンドウを、当該表示ウィンドウを描画すべき画像レイヤに描画する。
【００３１】
レイアウト管理部１２２は、アプリ画像生成部１２１により生成される表示ウィンドウにユーザＰＣ１３０から送信された表示画像を描画する。レイアウト管理部１２２は、画像取得部１０５から画像情報を取得すると、ビデオＲＡＭ１０５ａに保存されている画像フレームを取得し、取得した画像情報を使用して、取得した画像フレームを表示ウィンドウの大きさに収まるように変更して、当該取得した画像フレームを表示ウィンドウに描画する。
【００３２】
接触検知部１０７は、描画装置１４０等の物体の表示部１０１への接触または接近を検知する。本実施の形態では、接触検知部１０７には、赤外線遮断方式による座標入力／検出装置を採用する。この座標入力／検出装置は、表示部１０１の下側の両端に設置された２つの受発光装置が、表示部１０１の表示画面に対して平行に複数の赤外線を放射し、表示部１０１の周囲に設けられた反射部材によって反射した赤外線を受光する。接触検知部１０７は、物体によって遮断された２つの受発光装置が放射した赤外線の識別情報を座標検出部１０６に通知し、座標検出部１０６が物体の接触位置または接近位置である座標位置を検出する。
【００３３】
接触検知部１０７には、静電容量の変化を検知することにより接触位置または接近位置を検出する静電容量方式のタッチパネル、対向する２つの抵抗膜の電圧変化によって接触位置または接近位置を検出する抵抗膜方式のタッチパネル、接触物体が表示部１０１の表示画面に接触または接近することによって生じる電磁誘導を検知して接触位置または接近位置を検出する電磁誘導方式のタッチパネルなどの種々の検出方法を採用しても良い。
【００３４】
座標検出部１０６は、物体が表示部１０１の表示画面に接触または接近した位置である座標位置を検出するとともに、種々のイベントを発行する。本実施の形態では、座標検出部１０６は、接触検知部１０７が通知する遮断された赤外線の識別情報を利用して、物体の接触位置または接近位置の座標位置を検出する。座標検出部１０６は、接触位置または接近位置の座標位置とともに、種々のイベントをイベント処理部１２０に発行する。
【００３５】
ここで、座標検出部１０６が発行するイベントには、物体の接触または接近を通知するイベント（ＴＯＵＣＨ）、物体が表示部１０１の表示画面に接触または接近した状態で接触点または接近点が移動したことを通知するイベント（ＭＯＶＥ）、物体が表示部１０１の表示画面から離れたことを通知するイベント（ＲＥＬＥＡＳＥ）が含まれる。これらのイベントには、接触位置または接近位置の座標位置が含まれる。
【００３６】
描画装置１４０は、表示部１０１の表示画面に接触または接近させてストロークを描画するための装置である。本実施の形態では、描画装置１４０は、先端部に物体の接触を検知する検知部を備えたペン形状をしており、当該検知部が物体に接触すると、接触したことを示す接触信号を当該描画装置１４０の識別情報とともに座標検出部１０６に送信する。
【００３７】
また、描画装置１４０は、画像処理装置操作モードまたはユーザＰＣ操作モードに切り替えるモード切替スイッチを側面や後端部等に備えている。画像処理装置操作モードは、ユーザが表示部１０１に表示された表示画像に任意の図形や文字等のストロークを描画可能で、かつ表示部１０１に表示されたメニューやボタン等のオブジェクトを選択可能なモードである。ユーザＰＣ操作モードは、表示部１０１に表示されたメニューやボタン等のオブジェクトをユーザが選択可能なモードである。
【００３８】
本実施の形態では、ユーザがモード切替スイッチを押下した状態で、描画装置１４０を表示部１０１の表示画面に接触させた場合、描画装置１４０は、接触信号および当該描画装置１４０の識別情報とともに、ユーザＰＣ操作モードを示すモード種別信号を送信する。ユーザモード切替スイッチを押下していない状態で、描画装置１４０を表示部１０１の表示画面に接触させた場合、描画装置１４０は、接触信号および当該描画装置１４０の識別情報とともに、画像処理装置操作モードを示すモード種別信号を送信する。
【００３９】
なお、座標検出部１０６は、接触検知部１０７から赤外線の識別情報を受信すると、物体の接触位置である座標位置を検出し、次いで、描画装置１４０から接触信号を受信すると、各種のイベントを発行する。このとき、座標検出部１０６は、描画装置１４０から受信したモード種別信号が表すモードを示す情報（以下、モード種別情報とする）を当該イベントとともにイベント処理部１２０に通知する。
【００４０】
本実施の形態では、描画装置１４０は、Ｂｌｕｅｔｏｏｔｈ（登録商標）等の近距離無線通信によって各種信号を座標検出部１０６に送信する。描画装置１４０は、超音波や赤外線を利用した無線通信によって各種信号を座標検出部１０６に送信しても良い。
【００４１】
イベント処理部１２０は、座標検出部１０６が発行するイベントを処理する。モード種別情報が示すモードがユーザＰＣ操作モードである場合、イベント処理部１２０は、座標検出部１０６からイベントを受信すると、ユーザＰＣ１３０にマウスイベントを送信する。一方、モード種別情報が示すモードが画像処理装置操作モードである場合、イベント処理部１２０は、座標検出部１０６からイベントを受信すると、画像処理装置１００の他の機能部に対して描画指示イベントおよび選択通知イベントを通知する。
【００４２】
ここで、マウスイベントとは、ユーザＰＣ１３０のマウス等の入力装置が発行するイベントと同様のイベントであり、ユーザＰＣ操作モードに切り替えられた場合に、描画装置１４０による接触に起因してユーザＰＣ１３０に対して発行される。イベント処理部１２０は、座標検出部１０６が発行したイベントに含まれる座標位置を、ユーザＰＣ１３０の画面サイズに応じた座標位置に変換し、マウスイベントとともにユーザＰＣ１３０に送信する。ユーザＰＣ１３０は、マウスイベントをマウス等の入力装置が発行するイベントと同様に処理する。
【００４３】
描画指示イベントとは、画像処理装置１００に対して描画を指示するイベントである。描画指示イベントは、画像処理装置操作モードに切り替えられた場合に、描画装置１４０が表示部１０１の表示画面に接触または接近することに起因して発行される。
【００４４】
選択通知イベントとは、表示部１０１の表示画面に表示されたボタンやメニューバー等の種々のオブジェクトが選択されたことを示すイベントである。選択通知イベントは、画像処理装置操作モードに切り替えられた場合に、描画装置１４０が表示部１０１の表示画面に接触または接近することに起因して発行される。イベント処理部１２０は、座標検出部１０６が発行したイベントに含まれる座標位置がオブジェクトの座標領域内にあるときに選択通知イベントを発行する。
【００４５】
本実施の形態では、描画指示イベントおよび選択通知イベントには、それぞれ識別情報が割り当てられており、これらのイベントをトリガとして動作する画像処理装置１００の各部は、当該識別情報を参照して種々の処理を実行する。また、選択通知イベントには、選択されたオブジェクトの識別情報が付加されており、選択通知イベントをトリガとして動作する画像処理装置１００の各部は、当該オブジェクトの識別情報を参照して種々の処理を実行する。
【００４６】
描画生成部１２３は、座標検出部１０６により検出された接触位置または接近位置に基づいて、表示部１０１に表示された各表示画像に描画したストロークを生成する。本実施の形態では、描画生成部１２３は、描画指示イベントを受信すると、座標検出部１０６により検出された接触位置または接近位置である座標位置の色を特定の色に変更した画像レイヤをストロークとして生成する。描画生成部１２３は、生成した画像レイヤを描画画像としてＲＡＭ１０４の記憶領域に保存する。
【００４７】
合成部１２４は、種々の画像を合成する。合成部１２４は、アプリ画像生成部１２１により生成された表示ウィンドウの画像レイヤ（以下、アプリ画像レイヤとする）と、レイアウト管理部１２２により描画された表示画像の画像レイヤ（以下、画像キャプチャレイヤとする）と、描画生成部１２３により生成された描画画像の画像レイヤ（以下、手書きレイヤとする）と、を合成した合成画像を生成する。
【００４８】
表示制御部１２５は、表示部１０１を制御して、ユーザＰＣ１３０から送信された複数の表示画像を切り替えて表示する。また、描画生成部１２３により描画画像が生成された場合に、表示制御部１２５は、合成部１２４が生成した合成画像を表示部１０１に表示する。本実施の形態では、合成部１２４が、表示制御部１２５を呼び出して合成画像を表示部１０１に表示させる。なお、合成部１２４および表示制御部１２５は、画像取得部１０５により取得した画像情報に含まれる更新頻度と同じ頻度で、合成画像を生成して表示部１０１に表示しても良い。
【００４９】
スナップショット生成部１２６は、ユーザＰＣ１３０から送信された表示画像と描画生成部１２３により生成された描画画像とを合成した画像であるスナップショット画像を生成する。スナップショット生成部１２６は、表示部１０１に表示されスナップショット画像の生成を指示するスナップショットボタンが選択されたことを示す選択通知イベントを受信すると、画像キャプチャレイヤと手書きレイヤとを合成したスナップショット画像を生成する。スナップショット生成部１２６は、スナップショット画像を生成すると、リポジトリ管理部１２９に対してスナップショット画像をスナップショット画像記憶部１０８に記憶させる。
【００５０】
リポジトリ管理部１２９は、スナップショット画像を記憶するスナップショット画像記憶部１０８を制御する。リポジトリ管理部１２９は、上述したように、スナップショット生成部１２６により生成されたスナップショット画像をスナップショット画像記憶部１０８に記憶させる。また、リポジトリ管理部１２９は、ユーザＰＣ１３０からの指示により、スナップショット画像記憶部１０８からスナップショット画像を取得し、ユーザＰＣ１３０に送信する。
【００５１】
属性付与部１２８は、表示部１０１に表示された表示画像に描画されたストロークに属性を付与することを指示する属性付与ボタンが選択されたことを示す選択通知イベントを受信すると、表示部１０１に表示された表示画像に描画されたストロークに属性を付与する。
【００５２】
ページ生成部１２７は、表示部１０１に表示された複数の表示画像に描画された複数のストロークが配置されたストローク集合ページの生成を指示するページ作成ボタンが選択されたことを示す選択通知イベントを受信すると、表示部１０１に切り替えて表示される複数の表示画像に描画されたストロークから、当該ストロークに付与された属性に従って複数のストローク（以下、重要ストロークとする）を選択する選択部として機能する。また、ページ生成部１２７は、複数の重要ストロークを、予め設定された配置基準に従って配置したストローク集合ページを生成する生成部として機能する。
【００５３】
なお、合成部１２４は、ページ生成部１２７によってストローク集合ページが生成されると、アプリ画像生成部１２１により生成されたアプリ画像レイヤと、ページ生成部１２７により生成されたストローク集合ページのレイヤと、を合成した合成画像を生成する。そして、表示制御部１２５は、表示部１０１を制御して、アプリ画像レイヤとストローク集合ページのレイヤとを合成した合成画像を、表示部１０１に表示させる。
【００５４】
次に、図４および図５を用いて、表示部１０１に表示された表示画像に描画されたストロークに属性を付与する処理について説明する。図４は、本実施の形態にかかる画像処理装置において表示画像に描画されたストロークを記憶するデータベースの構造を示す図である。図５は、本実施の形態にかかる画像処理装置において表示画像に描画されたストロークに属性を付与する処理の流れを示すフローチャートである。
【００５５】
表示部１０１に表示された表示画像に描画されたストロークに属性を付与する処理の説明の前に、図４を用いて、ストロークを記憶するストロークデータベースの構造について説明する。ストロークデータベース４００は、シークエンス更新時間とページコレクションとを対応付けて記憶している。シークエンス更新時間は、シークエンスに従って表示画像の表示が開始された時刻を表している。ここで、シークエンスとは、例えば、１つの会議等において表示部１０１に切り替えて表示する表示画像（ページ）の表示順序である。表示画像は、シークエンスを構成する単位である。
【００５６】
ページコレクションは、シークエンスに従って表示された表示画像の集合を示す情報である。本実施の形態では、ページコレクションは、ページ番号、ページ更新時間、およびストロークコレクションを有している。ページ番号は、シークエンスに従って表示される表示画像を識別する情報である。ページ更新時間は、表示画像が表示された時刻を表している。
【００５７】
ストロークコレクションは、表示画像が表示部１０１に表示された際に当該表示画像に描画されたストロークの集合である。本実施の形態では、ストロークコレクションは、ストローク番号、ストローク描画時間、親ページ番号、属性、属性付与時間、およびポイントコレクションを有している。ストローク番号は、表示画像に描画されたストロークを識別する情報である。ストローク描画時間は、表示画像にストロークが描画された時刻を表している。親ページ番号は、ストロークが描画された表示画像を識別する情報である。属性は、ストロークの重要（重要度）、結論、ＴｏＤｏなど、ストロークに付与された属性である。属性付与時間は、ストロークに属性が付与された時刻を表している。つまり、ストロークデータベース４００は、ストローク毎に、当該ストロークに付与された属性および当該属性の付与日時を記憶する記憶部として機能する。また、ストロークデータベース４００は、ストローク集合ページに配置された重要ストロークと当該重要ストロークが描画された表示画像を識別する識別情報とを対応付けて記憶する第２の記憶部として機能する。
【００５８】
ポイントコレクションは、表示画像におけるストロークに含まれるポイントの座標位置を表している。本実施の形態では、ポイントコレクションは、ポイント番号、および座標位置（Ｘ、Ｙ）を有している。ポイント番号は、表示画像におけるストロークに含まれるポイントを識別する情報である。座標位置（Ｘ、Ｙ）は、表示画像の左上の隅を原点とした場合における、ストロークに含まれるポイントの座標である。
【００５９】
ここで、ストロークデータベース４００を作成する処理の流れについて簡単に説明する。表示部１０１に表示され新たな表示画像の作成を指示するページ作成ボタンが選択されたことを示す選択通知イベントを受信すると、レイアウト管理部１２２は、アプリ画像生成部１２１により生成される表示ウィンドウにユーザＰＣ１３０から送信された表示画像を描画する。表示部１０１に表示され表示画像の切り替えを指示するページ切替ボタンが選択されたことを示す選択通知イベントを受信すると、表示制御部１２５は、表示部１０１に表示された表示画像を切り替える。表示部１０１に表示された表示画像のページ番号およびページ更新時間は、ストロークデータベース４００のページコレクションに記憶される。表示部１０１に表示画像が表示されている間に、描画装置１４０によってストロークが描画されると、描画生成部１２３は、描画装置１４０のペンダウンからペンアップまでのストロークを生成する。生成されたストロークのストローク番号、ストローク描画時間、親ページ番号、およびポイントコレクションは、表示中の表示画像のページ番号のページコレクションが有するストロークコレクションに記憶される。
【００６０】
次に、図５を用いて、表示部１０１に表示された表示画像に描画されたストロークに属性を付与する処理について説明する。属性付与ボタンが選択されたことを示す選択通知イベントを受信すると、属性付与部１２８は、表示部１０１に切り替えて表示される複数の表示画像に描画されたストロークに属性を付与する属性付与処理を開始する（ステップＳ５０１）。
【００６１】
ユーザがペン等によって表示部１０１に表示された表示画像に描画されたストロークに接触または接近して、当該ストロークが選択されたことを示す選択通知イベントを受信すると、属性付与部１２８は、受信した選択通知イベントに含まれる座標位置のストロークを、属性を付与するストロークとして選択する（ステップＳ５０２）。
【００６２】
次いで、属性付与部１２８は、選択したストロークの属性として重要を付与する（ステップＳ５０３）。さらに、属性付与部１２８は、ストロークデータベース４００において、選択したストロークのストロークコレクションが有する属性に重要を記憶させるとともに、当該ストロークコレクションが有する属性付与時間に現在時刻を記憶させる。本実施の形態では、属性付与部１２８は、ストロークに対して１種類の属性を付与しているが、当該ストロークに対して複数の種類の属性（例えば、重要、結論、ＴｏＤｏなど）を付与しても良い。
【００６３】
そして、属性付与部１２８は、再び属性付与ボタンが選択されたことを示す選択通知イベントを受信すると、属性付与処理の終了が指示されたと判断する（ステップＳ５０４：Ｙｅｓ）。一方、終了ボタンが選択されたことを示す選択通知イベントを受信しなかった場合には、属性付与処理の終了が指示されていないと判断して（ステップＳ５０４：Ｎｏ）、属性付与部１２８は、ステップＳ５０２およびステップＳ５０３の処理を繰り返す。
【００６４】
次に、図６〜９を用いて、ストローク集合ページを生成する処理について説明する。図６は、本実施の形態にかかる画像処理装置においてストローク集合ページを生成する処理の流れを示すフローチャートである。
【００６５】
ページ生成部１２７は、イベント処理部１２０から、ストローク集合ページの生成を指示するページ作成ボタンが選択されたことを示す選択通知イベントを受信すると（ステップＳ６０１）、ストローク集合ページとして、新規ページを作成する（ステップＳ６０２）。ここで、新規ページとは、ストロークデータベース４００に記憶されたページコレクションが示す集合に含まれる表示画像に描画されたストロークが配置されていない状態のストローク集合ページである。
【００６６】
次いで、ページ生成部１２７は、ストロークデータベース４００に記憶されたページコレクションが示す表示画像に描画されたストロークから、当該ストロークに付与された属性に従って複数の重要ストロークを選択する（ステップＳ６０３）。ページ生成部１２７は、ストロークデータベース４００に記憶されたページコレクションが示す集合に含まれる表示画像に描画されたストロークから、重要度の高い複数の重要ストロークを選択する。
【００６７】
具体的には、ページ生成部１２７は、ストロークデータベース４００に記憶されたページコレクションが示す集合に含まれる表示画像に描画されたストロークのうち、ストロークデータベース４００に記憶されたストロークコレクションが有する属性として重要が付与されたストロークを重要ストロークとして選択する。
【００６８】
次に、ページ生成部１２７は、作成した新規ページ（ストローク集合ページ）を表示させる表示領域（本実施の形態では、アプリ画像生成部１２１により生成された表示ウィンドウ）を複数の分割領域に分割する（ステップＳ６０４）。本実施の形態では、ページ生成部１２７は、新規ページを表示させる表示ウィンドウを、複数の重要ストロークの数の分割領域に分割する。
【００６９】
さらに、ページ生成部１２７は、複数の重要ストロークそれぞれが分割領域に収まるように、当該重要ストロークの縮小率を算出する。本実施の形態では、ページ生成部１２７は、複数の重要ストロークが当該複数の重要ストロークが描画された表示画像毎に分割領域に収まるように、当該複数の重要ストロークの縮小率を算出する。
【００７０】
ページ生成部１２７は、複数の重要ストロークが描画された複数の表示画像の数が予め設定された規定数（本実施の形態では、規定数：６）よりも多い場合、アプリ画像生成部１２１により生成された表示ウィンドウを規定数の分割領域に分割し、複数の重要ストロークが当該複数の重要ストロークが描画された表示画像毎に分割領域に収まるように、当該複数の重要ストロークの縮小率を算出する。ここで、規定数は、アプリ画像生成部１２１により生成された表示ウィンドウのサイズに応じて設定される。
【００７１】
複数の重要ストロークが描画された複数の表示画像の数が規定数よりも多い場合、複数の重要ストロークが描画された複数の表示画像の数で表示ウィンドウを分割すると、分割領域が小さくなってしまい、分割領域に配置される重要ストロークが見づらくなる可能性がある。そこで、本実施の形態では、複数の重要ストロークが描画された複数の表示画像の数が規定数よりも多い場合、表示ウィンドウを規定数の分割領域に分割することにより、ストローク集合ページに配置される複数の重要ストロークの見易さを向上させる。したがって、ページ生成部１２７は、複数の重要ストロークが描画された複数の表示画像の数が規定数よりも多い場合、複数の重要ストロークが当該複数の重要ストロークが描画された表示画像毎に分割領域に収まるように縮小された複数のストローク集合ページを生成する。本実施の形態では、ページ生成部１２７は、複数の重要ストロークが描画された複数の表示画像の数が規定数よりも多い場合、当該複数の重要ストロークが描画された複数の表示画像の数を、規定数で除算した数（小数点以下は切り上げ）だけストローク集合ページを生成する。
【００７２】
次いで、ページ生成部１２７は、予め設定された配置基準に従って、複数の重要ストロークをストローク集合ページに配置する際の配置順序を決定する（ステップＳ６０５）。ここで、予め設定された配置基準は、例えば、ストロークデータベース４００において、ストロークコレクションが有する重要ストロークのストローク描画時間（描画日時）、当該重要ストロークに属性が付与された属性付与時間（付与日時）、および当該重要ストロークが描画された表示画像の親ページ番号（表示順）のうち少なくとも１つに従って重要ストロークを配置することを表している。本実施の形態では、ページ生成部１２７は、ｉ（１＋規定数×（ｉ−１）≦配置順序≦規定数×ｉ）番目のストローク集合ページの、ｊ（配置順序−規定数×（ｉ−１））番目の分割領域に配置することを決定する。
【００７３】
また、本実施の形態では、ページ生成部１２７は、算出した縮小率で縮小した複数の重要ストロークが当該複数の重要ストロークが描画された表示画像毎に、決定した配置順序で分割領域に配置されるように、表示画像が表示された表示ウィンドウにおける重要ストロークのｘｙ方向の座標値から、新規ページが表示される表示ウィンドウにおける重要ストロークのｘｙ方向の座標値への移動量を算出する。
【００７４】
次に、ページ生成部１２７は、新規ページが表示される表示ウィンドウに、決定した配置順序で重要ストロークを配置する際の当該重要ストロークの座標値を算出する（ステップＳ６０６）。本実施の形態では、ページ生成部１２７は、表示画像が表示された表示ウィンドウにおける重要ストロークのｘｙ方向の座標値を、算出した縮小率で縮小するとともに、縮小した重要ストロークを、新規ページが表示された表示ウィンドウにおいて、算出した移動量だけ移動させたｘｙ方向の座標値を算出する。
【００７５】
そして、ページ生成部１２７は、新規ページが表示された表示ウィンドウにおいて、算出した座標値を持つ重要ストロークを新たに作成して、当該表示ウィンドウに配置する（ステップＳ６０７）。これにより、ページ生成部１２７は、複数の重要ストロークを、予め設定された配置基準に従って配置したストローク集合ページを生成する。本実施の形態では、ページ生成部１２７は、複数の表示画像のサムネイルを表示する場合や複数の表示画像を集約してプレビューを表示する場合等とは異なり、重要ストロークをストロークのまま縮小してストローク集合ページに配置している。そのため、ストローク集合ページに配置された重要ストロークも表示画像に描画されたストロークとして編集することができる。また、ページ生成部１２７が、ストローク描画時間にストロークを並べることを表す配置基準に従って重要ストロークを配置したストローク集合ページを生成した場合、議論の流れに沿って重要ストロークが配置されたストローク集合ページを得ることができるので、議論の流れを生かすという意味で大きな利点となる。また、ストローク集合ページに配置する重要ストロークが多くなった場合に、ストローク集合ページに重要ストロークが収まるようユーザがストロークを整形する必要が無くなるので、重要ストロークの整形を支援することができる。
【００７６】
ここで、図７〜９を用いて、ストローク集合ページを生成する処理の一例について説明する。図７は、本実施の形態にかかる画像処理装置においてストローク集合ページを生成する前のストロークデータベースの一例を示す図である。図８は、本実施の形態にかかる画像処理装置においてストローク集合ページを作成した後のストロークデータベースの一例を示す図である。図９は、本実施の形態にかかる画像処理装置におけるストローク集合ページを生成する処理を説明するための図である。
【００７７】
ページ作成ボタンが選択されたことを示す選択通知イベントを受信して、図７に示すストロークデータベース４００に記憶されたページコレクションが示す集合の表示画像のストローク集合ページを生成する場合、ページ生成部１２７は、図７に示すストロークデータベース４００に記憶されたページコレクションが示す集合に含まれる表示画像に描画されたストロークから、ストロークデータベース４００に記憶されたストロークコレクションが有する属性として重要が付与されたストローク（つまり、ページ番号１のストロークコレクションのうちストローク番号１により識別されるストローク、およびページ番号２により識別されるストロークコレクションのうちストローク番号２により識別されるストローク）を、重要ストロークとして複数選択する。
【００７８】
次いで、ページ生成部１２７は、アプリ画像生成部１２１により生成された表示ウィンドウを２つの分割領域に分割する。そして、ページ生成部１２７は、ページ番号１のストロークコレクションのうちストローク番号１により識別されるストローク、およびページ番号２により識別されるストロークコレクションのうちストローク番号２により識別されるストロークが分割領域に収まるように縮小されたストローク集合ページを生成する。
【００７９】
そして、ページ生成部１２７は、図８に示すように、生成したストローク集合ページ（表示画像）のページ番号（３）、ページ更新時間（１０：１０）、およびストロークコレクションを有するページコレクションを、ストロークデータベース４００に記憶させる。
【００８０】
例えば、図９に示すように、ページ番号１により識別される表示画像９０１に描画された重要ストローク９０１ａ、ページ番号２により識別される表示画像９０２に描画された重要ストローク９０２ａ、ページ番号３により識別される表示画像９０３に描画された重要ストローク９０３ａ、およびページ番号４により識別される表示画像９０４に描画された重要ストローク９０４ａを配置したストローク集合ページを生成する場合、ページ生成部１２７は、新規ページが表示される表示ウィンドウ９０５を４つの分割領域９０５ａ，９０５ｂ，９０５ｃ，９０５ｄに分割する。そして、ページ生成部１２７は、重要ストローク９０１ａ，９０２ａ，９０３ａ，９０４ａを分割領域９０５ａ，９０５ｂ，９０５ｃ，９０５ｄに収まるように縮小した重要ストローク９０５ｅ，９０５ｆ，９０５ｇ，９０５ｈを、分割領域９０５ａ，９０５ｂ，９０５ｃ，９０５ｄに描画する。その際、ページ生成部１２７は、重要ストローク９０１ａ，９０２ａ，９０３ａ，９０４ａのストローク描画時間が早い順に、分割領域９０５ａ，９０５ｂ，９０５ｃ，９０５ｄに配置するものとする。
【００８１】
このように本実施の形態にかかる画像処理装置１００によれば、切り替えて表示される複数の表示画像に描画されたストロークから、当該ストロークに付与された属性に従って複数の重要ストロークを選択し、選択した複数の重要ストロークを、予め設定された配置基準に従って配置したストローク集合ページを生成することにより、ストローク集合ページを生成する際に、表示画像とストローク集合ページとを行ったり来たりしながらストロークのコピーとペーストを行う必要がなくかつ議論の流れに沿うようにストロークを並べ替える必要がなくなるので、電子情報ボードの使用時にユーザが効率的に議論を整理できるように書き込みの並べ替えを支援することができる。
【００８２】
本実施の形態では、ページ生成部１２７は、切り替えて表示される複数の表示画像に描画されたストロークに対して複数の種類の属性が付与された場合、属性の種類毎にストローク集合ページを生成しても良い。具体的には、ページ生成部１２７は、ページコレクションが示す集合に含まれる複数の表示画像に描画されたストロークから、属性付与部１２８によって付与される属性（例えば、重要、結論、ＴｏＤｏなど）毎に、当該属性が付与されたストロークを重要ストロークとして複数選択する。そして、ページ生成部１２７は、属性毎に選択した重要ストロークを配置したストローク集合ページを複数生成する。
【００８３】
また、本実施の形態では、ページ生成部１２７は、選択した複数の重要ストロークを、当該複数の重要ストロークが描画された表示画像毎に分割領域に配置したストローク集合ページを生成しているが、これに限定するものではない。例えば、ページ生成部１２７は、一の表示画像に複数の重要ストロークが描画されている場合、一つの表示画像に描画された複数の重要ストロークが複数の分割領域に収まるよう縮小されたストローク集合ページを生成しても良い。
【００８４】
さらに、表示制御部１２５は、表示部１０１に表示した合成画像（アプリ画像レイヤとストローク集合ページのレイヤとを合成した合成画像）のストローク集合ページに配置された重要ストロークのいずれかにユーザが接触または接近して、重要ストロークが選択された場合、ストロークデータベース４００において、当該選択された重要ストローク（ストロークコレクション）と対応付けて記憶されたページ番号（識別情報）により識別される表示画像を表示部１０１に表示させる。
【符号の説明】
【００８５】
１  画像処理システム
１００  画像処理装置
１０１  表示部
１０２  プロセッサ
１０３  ＲＯＭ
１０４  ＲＡＭ
１０５  画像取得部
１０５ａ  ビデオＲＡＭ
１０６  座標検出部
１０７  接触検知部
１０８  スナップショット画像記憶部
１２０  イベント処理部
１２１  アプリ画像生成部
１２２  レイアウト管理部
１２３  描画生成部
１２４  合成部
１２５  表示制御部
１２６  スナップショット生成部
１２７  ページ生成部
１２８  属性付与部
１２９  リポジトリ管理部
１３０  ユーザＰＣ
１４０  描画装置
【先行技術文献】
【特許文献】
【００８６】
【特許文献１】特開２００４−０９４８３３号公報
【図１】
2014044706.tif 000003
【図２】
2014044706.tif 000004
【図３】
2014044706.tif 000005
【図４】
2014044706.tif 000006
【図５】
2014044706.tif 000007
【図６】
2014044706.tif 000008
【図７】
2014044706.tif 000009
【図８】
2014044706.tif 000010
【図９】
2014044706.tif 000011